(57)【要約】【課題】紙幣インタフェース部の周辺を非撮像領域とする。【解決手段】紙幣の投入及び取り出しの何れか一方又は双方が行われる紙幣インタフェース部１０と、紙幣インタフェース部１０を上方から撮像する撮像部５０と、光の非透過領域を設け、前記撮像部の撮像領域を制限する撮像制限部３０と、撮像制限部３０は、撮像部５０による撮像領域を紙幣インタフェース部１０に制限する。また、個人情報（暗証番号）の入力を受け付ける入力インタフェース部２０をさらに備え、入力インタフェース部２０は、紙幣インタフェース部１０の近傍に配設されている。【選択図】図１
2018116522.tif 000002
【特許請求の範囲】
【請求項１】
紙幣の投入及び取り出しの何れか一方又は双方が行われる紙幣インタフェース部と、
前記紙幣インタフェース部を上方から撮像する撮像部と、
光の非透過領域を設けることにより、前記撮像部の撮像領域を制限する撮像制限部と、
前記撮像制限部は、前記撮像部による撮像領域を前記紙幣インタフェース部に制限する
ことを特徴とする自動取引装置。
【請求項２】
請求項１に記載の自動取引装置であって、
個人情報の入力を受け付ける入力インタフェース部をさらに備え、
前記入力インタフェース部は、前記紙幣インタフェース部の近傍に配設されている
ことを特徴とする自動取引装置。
【請求項３】
請求項１に記載の自動取引装置であって、
前記撮像部は、撮像素子と撮像部筐体との取付角が製造バラツキを有するものであり、
前記撮像制限部は、前記取付角の偏差が正の最大値での撮像領域と負の最大値での撮像領域とが重畳しない非重畳領域から外側の撮像を制限する
ことを特徴とする自動取引装置。
【請求項４】
請求項１に記載の自動取引装置であって、
前記撮像部は、その光軸と製造バラツキが無いときの基準光軸との傾斜バラツキが存在するものであり、
前記撮像制限部は、前記基準光軸の傾斜が正の最大値での撮像領域と負の最大値での撮像領域との非重畳領域から外側の撮像を制限する
ことを特徴とする自動取引装置。
【請求項５】
請求項２に記載の自動取引装置であって、
前記紙幣インタフェース部は、操作者の手前側に設けられており、
前記入力インタフェース部は、前記紙幣インタフェース部よりも後方に設けられている
ことを特徴とする自動取引装置。
【請求項６】
紙幣の投入及び取り出しの何れか一方又は双方が行われる紙幣インタフェース部と、
暗証番号の入力を受け付け、前記紙幣インタフェース部の近傍に配設される入力インタフェース部と、
前記紙幣インタフェース部を上方から撮像する撮像部と、
前記紙幣インタフェース部の撮像形状に対応する形状の光透過領域と前記入力インタフェース部の撮像領域に対応する光非透過領域とを有する撮像制限部と、
を備え、
前記撮像制限部は、前記撮像部が前記入力インタフェース部を撮像できない位置に配設されている
ことを特徴とする自動取引装置。
【発明の詳細な説明】
【技術分野】
【０００１】
本発明は、自動取引装置に関する。
【背景技術】
【０００２】
ＡＴＭ（Automated Teller Machine）等の自動取引装置は、一般に、操作者が紙幣を投入したり、取り出したりする接客口（特に、紙幣開口部）やカード挿入口等の操作部（操作開口部）と、該接客口、及びその周辺を撮影する手元カメラを設けている（特許文献１，２参照）。この手元カメラは、紙幣入出金口から排出される紙幣の重なり状態や手操作を撮影可能な位置に設けられている。また、手元カメラは、万が一紙幣を第三者に盗み取りをされたときに、証拠画像を残すことを目的にしている。
【先行技術文献】
【特許文献】
【０００３】
【特許文献１】特開2010-267178号公報（段落００２３）
【特許文献２】特開2014-137658号公報（段落００４１）
【発明の概要】
【発明が解決しようとする課題】
【０００４】
ところで、自動取引装置は、取引に使用される暗証番号を入力するテンキーボードとしてPINPAD（Personal Identification Number PAD）を採用することが多い。また、PINPADは、手元カメラが撮影する接客口（紙幣入出金口）の近傍に配設される。特に、小型の現金自動処理機では接客口とPINPADとが近接している。この配置のため、手元カメラは、接客口以外に、PINPADまで撮影してしまい、暗証番号等の個人情報が映像データとして漏洩する可能性が出てしまう問題があった。このため、自動取引装置は、撮像してはいけないPINPADの領域をマスクする必要がある。
【０００５】
マスクする手段として、撮像部でハードウェア的にマスクする方法や、画像処理装置がソフトウェア的にマスクする方法がある。例えば、ハードウェア的にマスクする方法として、手元カメラ（撮像部）は、例えば、画角調整機構を有したカメラ取付機構を備え、撮影画像を顧客要求画像に合うように画角（撮像領域）を調整可能な構成とすることが考えられる。
しかしながら、接客口（紙幣インタフェース部）とPINPADとが近接している小型の自動取引装置には、画角調整機構は、微調整可能な機構が必要である。このような画角調整機構は、高価な機構となるので、現実的ではない。
【０００６】
本発明は、紙幣インタフェース部の周辺を非撮像領域とすることができる自動取引装置を提供することを目的とする。
【課題を解決するための手段】
【０００７】
前記課題を解決するため、第１発明の自動取引装置（１００）は、紙幣の投入及び取り出しの何れか一方又は双方が行われる紙幣インタフェース部（１０）と、前記紙幣インタフェース部（１０）を上方から撮像する撮像部（５０）と、光の非透過領域（３０ｂ）を設けることにより、前記撮像部（５０）の撮像領域を制限する撮像制限部（３０）と、前記撮像制限部３０は、前記撮像部（５０）による撮像領域を前記紙幣インタフェース部（１０）に制限することを特徴とする。なお、（  ）内の符号等は例示である。
【０００８】
これによれば、撮像制限部が撮像領域を紙幣インタフェース部に制限するので、紙幣インタフェース部の周辺を非撮像領域とすることができる。ここで、個人情報（例えば、暗証番号）の入力を受け付ける入力インタフェース部（例えば、PINPAD２０）をさらに備え、前記入力インタフェース部は、前記紙幣インタフェース部の近傍に配設されていることが好ましい。これにより、入力インタフェース部を非撮像領域にすることができる。
【０００９】
また、第２発明の自動取引装置は、紙幣の投入及び取り出しの何れか一方又は双方が行われる紙幣インタフェース部と、暗証番号の入力を受け付け、前記紙幣インタフェース部の近傍に配設される入力インタフェース部と、前記紙幣インタフェース部を上方から撮像する撮像部と、前記紙幣インタフェース部の撮像形状に対応する形状の光透過領域と前記入力インタフェース部の撮像領域に対応する光非透過領域とを有する撮像制限部と、を備え、前記撮像制限部は、前記撮像部が前記入力インタフェース部を撮像できない位置に配設されている。
【発明の効果】
【００１０】
本発明によれば、紙幣インタフェース部の周辺を非撮像領域とすることができる。
【図面の簡単な説明】
【００１１】
【図１】本発明の実施形態である自動取引装置に搭載される撮像部の撮像領域を説明する説明図である。
【図２】本発明の実施形態である自動取引装置の操作部の平面図である。
【図３】撮像部及び撮像制限部の斜視図であり、（ａ）が撮像部を示し、（ｂ）が撮像制限部を示す。
【図４】撮像制限部の構造図である。
【図５】操作部の撮像可能領域と撮像制限領域との関係を示す図である。
【図６】撮像部の画角を説明する説明図である。
【図７】撮像部の角度ずれの影響を説明する説明図である。
【発明を実施するための形態】
【００１２】
以下、図面を参照して、本発明の実施の形態（以下、「本実施形態」と称する）につき詳細に説明する。なお、各図は、本実施形態を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１３】
（構成の説明）
図１は、本発明の実施形態である自動取引装置に搭載される撮像部の撮像領域を説明する説明図である。図１は、自動取引装置を左右方向の中央部で切断した断面を示している。
自動取引装置１００は、紙幣インタフェース部としての接客口１０と、入力インタフェース部としてのPINPAD２０と、撮像制限部として機能するハーフミラー３０と、撮像部としての手元カメラ５０と、本体筐体９０とを備える。なお、自動取引装置１００は、操作部２５として、接客口１０やPINPAD２０以外に図示しないカード入力部や伝票を印刷する印刷部を備える。
【００１４】
本体筐体９０は、二段の階段形状の操作部筐体９０ａと、操作部筐体９０ａの後部から上斜め前方に延在する天井部９０ｂとが形成されている。なお、操作部筐体９０ａは、操作者が操作しやすいように、上面が傾斜している。接客口１０は、紙幣の投入及び取り出しの何れか一方又は双方が行われる紙幣入出金口であり、操作部筐体９０ａの下段の上部に設けられている。
【００１５】
PINPAD２０は、操作部筐体９０ａの上段の上部、つまり、接客口１０の後方の高い位置に設けられている。PINPAD２０は、暗証番号が入力されるテンキーキーボードと、入力された暗証番号を暗号化するマイコンと、マイコン基板を覆う保護検出ネットを備えている。保護検出ネットは、外部からの破壊行為を検知するためのものであり、マイコンは、破壊行為を検知すると、暗証番号や暗号鍵等の機微情報を破棄するように構成されている。PINPAD２０は、上段に配置されることで、破壊行為が行われにくくなっており、下段に配置した場合に比較して、セキュリティ性が高くなっている。
【００１６】
手元カメラ５０は、天井部９０ｂに配設されている。つまり、手元カメラ５０は、接客口１０の上方に設けられ、操作者の手元である操作部２５、特に、接客口１０を撮像できるように構成されている。手元カメラ５０は、天井部９０ｂに対する取り付け角度や、内部のＣＣＤ素子の位置ずれによって、画角中心の角度ずれ（軸振れ）が生じる。この軸振れによって、撮影画像範囲は、画角の上振れや下振れが生じる。接客口１０は、画角の上振れと下振れとの重畳範囲に存在する。
【００１７】
ハーフミラー３０は、反射率及び透過率が５０％のミラーであるが、本実施形態では、いわゆるマジックミラーとして使用している。該マジックミラーは、明るい場所から暗い場所を見たとき反射像を見ることができ、暗い場所から明るい場所を見たとき透過像を見ることができるものである。該マジックミラーは、明るい場所から明るい場所に反射して戻ってくる光の光量が暗い場所から明るい場所に透過する光の光量よりも多く、明るい場所から暗い場所に透過する光の光量が暗い場所から暗い場所に反射して戻ってくる光の光量よりも多いことを利用している。
【００１８】
ハーフミラー３０は、手元カメラ５０のレンズの近傍に配置されており、暗い場所に配置されている手元カメラ５０が明るい場所に配置されている接客口１０を撮像できるように配設されている。また、明るい場所にいる操作者は、ハーフミラー３０で反射像をみることができるが、暗い場所に配設されている手元カメラ５０を見ることができない。
【００１９】
ハーフミラー３０は、光透過部３０ａと光非透過部３０ｂ（図３（ｂ），４）とを設けており、手元カメラ５０の軸振れによって、PINPAD２０の一部が撮影画像範囲に入ったとしても、光非透過部３０ｂがPINPAD２０の一部の撮像を制限する撮像制限部としての機能を有している。
【００２０】
図２は、本発明の実施形態である自動取引装置の操作部の平面図である。図２は、上から操作部（特に、接客口１０）２５を覗いた図でもあり、前後左右は図示の通りである。
接客口１０は、本体筐体９０に配設されており、PINPAD２０は、該接客口１０の中央部であって、その後方に近接配置されている。PINPAD２０は、該接客口１０の中央部後方に配設されているので、第三者がPINPAD２０を覗き込む可能性が低減する。なお、PINPAD２０は、複数のテンキー２０ａと、複数の機能キー２０ｂとを備えている。
【００２１】
図３は、撮像部及び撮像制限部の斜視図であり、図３（ａ）が撮像部を示し、図３（ｂ）が撮像制限部を示す。手元カメラ５０は、撮像部筐体５０ａを備える。図４は、撮像制限部の構造図である。
ハーフミラー３０は、反射率及び透過率が５０％の光透過部３０ａと、透過率が０％の光非透過部３０ｂとを設け、PINPAD２０の撮像を制限する撮像制限部として機能する。
【００２２】
撮像制限部として機能するハーフミラー３０は、中央部が反射率及び透過率が５０％の誘電体多層膜でコートされた板状媒体であり、その外側を透過率０％の非透光性塗料が塗布されたものである。つまり、ハーフミラー３０は、中央部が光透過部３０ａとして機能し、その外側が光非透過部３０ｂとして機能する。ここで、光透過部３０ａは、接客口１０の撮像形状に対応しており、接客口１０が光軸に対して傾斜していなければ、接客口１０と相似形状である。
【００２３】
図５は、操作部の撮像領域と撮像制限領域との関係を示す図である。
ハーフミラー３０を設けていないときの手元カメラ３０の撮像領域は、操作部２５（図１）、つまり、接客口１０、接客口１０の周辺、及びPINPAD２０の一部である。PINPAD２０の一部は、手元カメラ３０の撮像を制限する撮像制限領域であり、光非透過部３０ｂに対応するものである。接客口１０、及びその周辺は、ハーフミラー３０を設けたときの手元カメラ３０の撮像領域（実撮像領域）であり、光透過部３０ａ（図３（ｂ），４）の形状に対応している。つまり、光透過部３０ａの形状は、接客口１０、及びその周辺に対応して設定されている。なお、光非透過部３０ｂは、必ずしもPINPAD２０と相似形状ではない。
【００２４】
図６は、撮像部の画角を説明する説明図である。
撮像部としての手元カメラ５０は、簡単には、撮像素子としてのＣＣＤ素子５１と、レンズ５２とを備えている。手元カメラ５０は、ＣＣＤ素子５１とレンズ５２とが撮像部筐体５０ａ（図３（ａ））に固定され、撮像部筐体５０ａが本体筐体９０（図１）に固定されているものとする。ＣＣＤ素子５１は、二次元配列された光電変換素子である。レンズ５２は、焦点距離ｆの単焦点レンズを図示しているが、複数のレンズで構成されていても構わない。また、レンズ５２は、ズームレンズや魚眼レンズであっても構わない。
【００２５】
手元カメラ５０は、レンズ５２の主点とＣＣＤ素子５１の撮像面との間隔が焦点距離ｆになるように調整されているとき、無限遠点に焦点が合っている。この無限遠点に焦点を合わせた状態で、レンズ５２の中心からＣＣＤ素子５１の撮像面を見た角度を「画角」という。なお、光軸は、ＣＣＤ素子５１の撮像面の垂線であって、レンズ５２の中心軸に一致する軸である。
【００２６】
図７は、撮像部の角度ずれの影響を説明する説明図である。
図７は、撮像部筐体５０ａへのＣＣＤ素子５１、及びレンズ５２の取り付け角度にバラツキがあったり、本体筐体９０への撮像部筐体５０ａの取り付け角度にバラツキがあったりした場合である。つまり、図７は、ＣＣＤ素子５１、及びレンズ５２の光軸が基準光軸からの角度ずれ（公差）が有り、傾斜バラツキが生じている場合である。例えば、ＣＣＤ素子５１、及びレンズ５２が時計方向に僅かに回転すると画角の上振れが発生し、ＣＣＤ素子５１、及びレンズ５２が時計方向と逆方向に僅かに回転すると、画角の下振れが発生する。ここで、基準光軸は、傾斜バラツキが無いときの光軸である。
【００２７】
取付角のズレ（偏差）が正の最大値での撮像領域と負の最大値での撮像領域とが重畳する重畳領域が存在する。そして、取付角の偏差の最大値（振れの最大値）での重畳領域は、製造バラツキに依存すること無く、撮像可能な領域である。
【００２８】
図７で説明したように、手元カメラ５０は、製造バラツキにより、画角の上振れや下振れが生じてしまう。このため、撮影画像は、撮像領域（上振れ）から撮像領域（下振れ）までの範囲でバラツクことがある。「上振れ」の場合には、撮影画像として映ってはいけない部分（PINPAD２０）は映ることは無いが、「下振れ」の場合には撮影画像として映ってはいけない部分（PINPAD２０）が映ってしまう。
【００２９】
本実施形態のハーフミラー３０は、光非透過部３０ｂと光透過部３０ａとを設け、光非透過部３０ｂを撮影画像（物像）のマスクエリアとしている。ハーフミラー３０は、光透過部３０ａを接客部１０の形状に対応させ、光非透過部３０ｂ（マスクエリア）をPINPAD２０に対応させている。また、自動取引装置１００は、手元カメラ５０でPINPAD２０が映らない位置（高さ）にハーフミラー３０を配設している。これにより、自動取引装置１００は、手元カメラ５０の画角が撮影画像範囲（下振れ）にばらついたとしても、撮影画像に接客部１０、及びその周辺を映し、PINPAD２０が映らないようにすることができる。つまり、ハーフミラー３０は、接客口１０、及びその周辺を手元カメラ５０の非撮像領域としている。
【００３０】
（効果の説明）
以上説明したように、本実施形態の自動取引装置１００は、手元カメラ５０の画角バラツキ（上振れ、下振れ）があっても、ハーフミラー３０の光非透過部３０ｂが、映してはいけない箇所（PINPAD２０）をマスクしてしまう。このため、自動取引装置１００は、手元カメラ５０を取り付けるカメラ取り付け機構部に、特別な画角調整機構（図示せず）を持たせて、画角の微調整を行う必要がない。また、ハーフミラー３０は、光透過部３０ａが反射率及び透過率が５０％のマジックミラーとしたので、手元カメラ５０から接客口１０を撮像できる一方、操作者からは、手元カメラ５０やその周辺の配線を見ることができない。
【００３１】
（変形例）
本発明は前記した実施形態に限定されるものではなく、例えば以下のような種々の変形が可能である。
（１）前記実施形態の自動取引装置１００は、手元カメラ５０の画角バラツキにより発生した、映してはいけない箇所（PINPAD２０）をハーフミラー３０の光非透過部３０ｂでマスクしていた。ハーフミラー３０の光透過部３０ａと光非透過部３０ｂとの境界形状を調整することによって、操作部分のみを映すことも可能である。また、ハーフミラー３０は、光非透過部３０ｂを複数備えることにより、画像撮影箇所を複数に分けることができるようになり、必要な箇所のみ映るようにすることができる。
【００３２】
（２）前記実施形態の自動取引装置１００は、入力インタフェース部として、暗証番号を入力するPINPAD２０を適用したが、生年月日や電話番号等の個人情報を入力する入力インタフェースとしても構わない。
【００３３】
（３）前記実施形態の自動取引装置１００は、反射率及び透過率が５０％の膜をコートしたハーフミラー３０を表裏の無いマジックミラーとして機能させたが、このハーフミラーの片面に吸収膜をさらにコートして、表裏のあるものを採用しても構わない。例えば、反射率及び透過率が５０％の反射膜と、吸収率５０％の吸収膜とをコートしたマジックミラーを用いても構わない。このときには、反射膜側から入射する光の反射率は、５０％であるが、吸収膜側から入射する光の反射率は、５０％×５０％×５０％＝１２．５％となる。また、全透過率は、何れの方向から入射しても、５０％×５０％＝２５％となる。
【００３４】
（４）前記実施形態の手元カメラ５０は、単焦点のレンズ５２が内蔵されているとして説明したが、テレセントリック光学系を使うこともできる。このときには、接客口１０と同程度の大きさのレンズが必要になる。
【００３５】
（５）前記実施形態の自動取引装置１００は、ＡＴＭを前提として説明したが、券売機や、現金処理機等にも適用することができる。
【符号の説明】
【００３６】
１０  接客口（紙幣インタフェース部）
２０  ＰＩＮＰＡＤ（入力インタフェース部）
２０ａ  テンキー
２０ｂ  機能キー
２５  操作部
３０  ハーフミラー（撮像制限部）
３０ａ  光透過部
３０ｂ  光非透過部
５０  手元カメラ（撮像部）
５０ａ  撮像部筐体
５１  ＣＣＤ素子（撮像素子）
５２  レンズ
９０  本体筐体
９０ａ  操作部筐体
９０ｂ  天井部
１００  自動取引装置
【図１】
2018116522.tif 000003
【図２】
2018116522.tif 000004
【図３】
2018116522.tif 000005
【図４】
2018116522.tif 000006
【図５】
2018116522.tif 000007
【図６】
2018116522.tif 000008
【図７】
2018116522.tif 000009